(57)【要約】【課題】光源と導光体の入射面との間の距離を一定に保ちつつ、構造を簡素化して、光源の交換を容易にする。【解決手段】面発光照明器具において、導光体ユニット１２のプレート２２が１対の突起５１を有する。突起５１の先端には係止片が形成されている。光源ユニット１３のランプホルダ３２の表面の各端部には、受け穴が１つずつ設けられている。突起５１は、導光体ユニット１２の導光体２１の入射面と光源ユニット１３のＬＥＤモジュールのＬＥＤの表面との間に所定の間隔が空くように、導光体２１の入射面よりランプホルダ３２の表面側に突き出して、先端の係止片がランプホルダ３２の表面の受け穴に嵌まる。【選択図】図２
2014199819.tif 000002
【特許請求の範囲】
【請求項１】
表面から光を発する光源と、
表面に前記光源が設置された長手状の光源設置部と、
前記光源により発せられた光を、前記光源設置部の表面と対向する端面である入射面から入射する平板状の導光体であって、当該入射面から入射した光を１つの板面から出射する導光体と、
前記導光体を支持する導光体支持部であって、前記導光体の入射面と前記光源の表面との間に間隔が空くように、前記導光体の入射面より前記光源設置部の表面側に突き出して、先端が前記光源設置部の表面の長手方向の各端部に接触する１対の凸部を有する導光体支持部と
を備えることを特徴とする照明器具。
【請求項２】
前記光源設置部の表面の長手方向の各端部には、前記１対の凸部が嵌められる１対の貫通穴が設けられていることを特徴とする請求項１の照明器具。
【請求項３】
前記照明器具は、前記光源設置部の上方に、前記導光体と前記導光体支持部とからなる導光体ユニットを備え、
前記１対の凸部は、前記導光体ユニットの自重により前記光源設置部の表面の長手方向の各端部を押圧することを特徴とする請求項１又は２の照明器具。
【請求項４】
前記導光体の前面に避難誘導するための図柄を有した標識板を有する請求項１から３のいずれかの照明器具。
【発明の詳細な説明】
【技術分野】
【０００１】
本発明は、照明器具に関するものである。本発明は、特に、面発光照明器具に関するものである。
【背景技術】
【０００２】
光源からの光を導光板の光入射面から入射し、面状の光として導光板の光射出面から射出する面状照明装置において、光源と導光板の光入射面との間の距離を一定に保つため、固定部材と複数のネジや固定ピンによって、光源と導光板を一体的に固定する技術がある（例えば、特許文献１参照）。
【先行技術文献】
【特許文献】
【０００３】
【特許文献１】特開２００９−９３９３９号公報
【特許文献２】特開２００９−１９９８７１号公報
【特許文献３】特開２００８−１０８６２２号公報
【発明の概要】
【発明が解決しようとする課題】
【０００４】
従来の技術では、光源と導光板を一体的に固定するための構造が複雑で、光源の交換が困難であるという課題があった。
【０００５】
本発明は、例えば、光源と導光体の入射面との間の距離を一定に保ちつつ、構造を簡素化して、光源の交換を容易にすることを目的とする。
【課題を解決するための手段】
【０００６】
本発明の一の態様に係る照明器具は、
表面から光を発する光源と、
表面に前記光源が設置された長手状の光源設置部と、
前記光源により発せられた光を、前記光源設置部の表面と対向する端面である入射面から入射する平板状の導光体であって、当該入射面から入射した光を１つの板面から出射する導光体と、
前記導光体を支持する導光体支持部であって、前記導光体の入射面と前記光源の表面との間に間隔が空くように、前記導光体の入射面より前記光源設置部の表面側に突き出して、先端が前記光源設置部の表面の長手方向の各端部に接触する１対の凸部を有する導光体支持部とを備える。
【発明の効果】
【０００７】
本発明の一の態様によれば、導光体支持部が、導光体の入射面と光源の表面との間に間隔が空くように、導光体の入射面より光源設置部の表面側に突き出して、先端が光源設置部の表面の長手方向の各端部に接触する１対の凸部を有するため、光源と導光体の入射面との間の距離を一定に保ちつつ、構造を簡素化して、光源の交換を容易にすることが可能となる。
【図面の簡単な説明】
【０００８】
【図１】実施の形態１に係る照明器具の（ａ）上面図、（ｂ）正面図、（ｃ）下面図、（ｄ）側面図、（ｅ）背面図、（ｆ）斜視図。
【図２】実施の形態１に係る照明器具の分解斜視図。
【図３】実施の形態１に係る照明器具の（ａ）導光体ユニットの前方斜視図、（ｂ）導光体ユニットの後方斜視図。
【図４】実施の形態１に係る照明器具の光源ユニットの斜視図。
【図５】実施の形態１に係る照明器具の枠を外した状態の斜視図。
【図６】実施の形態２に係る照明器具の枠を外した状態の正面図。
【図７】実施の形態３に係る照明器具の（ａ）斜視図、（ｂ）分解斜視図。
【発明を実施するための形態】
【０００９】
以下、本発明の実施の形態について、図を用いて説明する。
【００１０】
実施の形態１．
図１（ａ）は、本実施の形態に係る照明器具１０の上面図、図１（ｂ）は、照明器具１０の正面図、図１（ｃ）は、照明器具１０の下面図、図１（ｄ）は、照明器具１０の側面図、図１（ｅ）は、照明器具１０の背面図である。図１（ｆ）は、照明器具１０の斜視図である。図２は、照明器具１０の分解斜視図である。図３（ａ）は、照明器具１０の導光体ユニット１２の前方斜視図、図３（ｂ）は、照明器具１０の導光体ユニット１２の後方斜視図である。図４は、照明器具１０の光源ユニット１３の斜視図である。図５は、照明器具１０の枠１４を外した状態の斜視図である。
【００１１】
本実施の形態において、照明器具１０は、面発光照明器具であり、箱形の器具本体１１、着脱自在の導光体ユニット１２、着脱自在の光源ユニット１３、着脱自在の枠１４を備える。
【００１２】
図１（ａ）及び（ｅ）に示すように、器具本体１１の上面及び背面には、電源用ノックアウト１１ａ、取り付け用ノックアウト１１ｂが配設されている。必要な箇所の電源用ノックアウト１１ａを取り除くことで、その箇所に、外部の商用電源につながる電源線を照明器具１０内に挿入するための電源穴が開けられる。また、必要な箇所の取り付け用ノックアウト１１ｂを取り除くことで、その箇所に、照明器具１０を天井や壁等に取り付けるためのピンやネジ等が挿入される取り付け穴が開けられる。このように、本実施の形態では、器具本体１１にノックアウトを設けることで、電源線が挿入されない電源穴、ピンやネジ等が挿入されない取り付け穴が器具本体１１に開けられないような構造を採用している。そのため、電源穴や取り付け穴が美観を損ねることがない。
【００１３】
図２に示すように、器具本体１１内には、点灯ユニット１５、端子台１６が配設される。外部の商用電源からの電力は端子台１６を介して点灯ユニット１５に供給され、点灯ユニット１５によって光源ユニット１３のＬＥＤモジュール３１が点灯する。器具本体１１には、ピン等の引っ掛け部１１ｃが取り付けられている。
【００１４】
図２に示すように、光源ユニット１３は、器具本体１１にネジ止めされる。なお、例えば、光源ユニット１３にダルマ穴を追加し、器具本体１１にピン等の引っ掛け部を取り付け、光源ユニット１３のダルマ穴を器具本体１１の引っ掛け部に引っ掛ける構造を採用してもよい。この場合、さらに着脱が容易となる。
【００１５】
図４に示すように、光源ユニット１３は、ＬＥＤモジュール３１、長手状のランプホルダ３２（光源設置部の例）からなる。ここでは、光源ユニット１３が、ＬＥＤモジュール３１を２つ備えているが、ＬＥＤモジュール３１を１つ又は３つ以上備えていてもよい。ＬＥＤモジュール３１は、表面から光を発する複数のＬＥＤ３１ａ（光源の例）、各ＬＥＤ３１ａが実装された基板３１ｂで構成される。ランプホルダ３２の表面の長手方向の各端部には、受け穴３２ａが１つずつ設けられている。
【００１６】
図２に示すように、導光体ユニット１２には、ダルマ穴１２ａが設けられている。導光体ユニット１２は、器具本体１１の前面の開口部を覆うように、ダルマ穴１２ａを器具本体１１の引っ掛け部１１ｃへ引っ掛けることにより器具本体１１に取り付けられる。導光体ユニット１２は、光源ユニット１３の上方に取り付けられ、光源ユニット１３のＬＥＤモジュール３１が点灯すると、ＬＥＤモジュール３１より発せられる光を入射して、前面から面状に出射する。上記のように、導光体ユニット１２を器具本体１１に引っ掛ける構造を採用しているため、着脱が容易である。また、導光体ユニット１２が自重によって光源ユニット１３へ近づく。
【００１７】
図３（ａ）及び（ｂ）に示すように、導光体ユニット１２は、平板状の導光体２１、プレート２２、金具２３からなる。
【００１８】
導光体２１は、プレート２２の前方に重ねられ、金具２３により押さえ付けられることによって固定される（プレート２２、金具２３は、導光体を支持する導光体支持部の例である）。導光体２１は、光源ユニット１３のＬＥＤモジュール３１のＬＥＤ３１ａにより発せられた光を入射面２１ａから入射する。そして、導光体２１は、入射面２１ａから入射した光を出射面２１ｂから出射する。入射面２１ａは、導光体２１の端面（上下左右４つの端面）のうち、光源ユニット１３のランプホルダ３２の表面（ＬＥＤ３１ａがＬＥＤモジュール３１ごと設置された面）と対向する端面（下端面）である。出射面２１ｂは、導光体２１の板面（前後２つの板面）のうち、前方の板面である。導光体２１の材質としては樹脂が使用され、導光体２１の背面（後方の板面）には白色マットのインクにてドット印刷が施されている。導光体２１は、入射面２１ａから入射した光を、内部で屈折させ、また、ドット印刷が施された部分で反射させて、出射面２１ｂから略均一に放射する。
【００１９】
プレート２２は、材質が鋼板で白色塗装が施されている。これにより、導光体２１へ入射された光が反射され、導光体２１の出射効率が向上する。プレート２２は、１対の突起５１（凸部の例）を有する。突起５１は、導光体２１の入射面２１ａとＬＥＤモジュール３１のＬＥＤ３１ａの表面（発光面）との間に所定の間隔が空くように、導光体２１の入射面２１ａよりランプホルダ３２の表面側に突き出して、先端がランプホルダ３２の表面の長手方向の各端部に接触する。つまり、突起５１は、導光体２１とランプホルダ３２との間に位置し、導光体２１の落下を防止するとともに、ランプホルダ３２に当たることで、導光体２１とランプホルダ３２に設置されたＬＥＤモジュール３１のＬＥＤ３１ａとの間の距離を一定に保つことができる。これにより、導光体ユニット１２や光源ユニット１３の着脱を繰り返しても、毎回、照明器具１０の光の明るさを一定に保つことができるとともに、導光体２１がＬＥＤ３１ａに当たってＬＥＤ３１ａが傷つくような事態を防ぐことができる。また、本実施の形態では、導光体２１がＬＥＤモジュール３１の基板３１ｂにも当たらないため、基板３１ｂが傷つくような事態も防ぐことができる。なお、ランプホルダ３２の端部まで基板３１ｂが延びている場合、突起５１の先端が基板３１ｂの表面の長手方向の各端部に接触するようにしてもよい。
【００２０】
図３（ａ）及び図５に示すように、本実施の形態では、突起５１の先端に係止片５１ａが形成されており、係止片５１ａが、ランプホルダ３２の表面の各端部に設けられた受け穴３２ａに嵌められる。これにより、光源ユニット１３に対する導光体ユニット１２の前後方向の位置を決めることができ、照明器具１０の光の明るさをさらに安定させることができる。なお、受け穴３２ａを凹部に置き換えても、同様の効果が得られる。
【００２１】
なお、導光体ユニット１２と光源ユニット１３の位置関係は、前者が上、後者が下という関係に限らず、例えば前者が下、後者が上という関係であってもよい。本実施の形態では、導光体ユニット１２が光源ユニット１３の上方に取り付けられているため、プレート２２の突起５１が、導光体ユニット１２の自重により光源ユニット１３のランプホルダ３２の表面の各端部を押圧することになる。したがって、導光体２１とランプホルダ３２に設置されたＬＥＤモジュール３１のＬＥＤ３１ａとの間隔を一定に保つという効果をより確実に得ることができる。
【００２２】
枠１４は、器具本体１１の外周部分に取り付けられる。枠１４が取り付けられることにより、照明器具１０の外観を美しく見せることができる。
【００２３】
実施の形態２．
本実施の形態について、主に実施の形態１との差異を説明する。
【００２４】
図６は、本実施の形態に係る照明器具１０の枠１４を外した状態の正面図である。
【００２５】
実施の形態１では、照明器具１０の導光体ユニット１２のプレート２２が１対の突起５１を有していたが、本実施の形態では、導光体ユニット１２の導光体２１が１対の突起５１を有している。突起５１は、導光体２１の入射面２１ａとＬＥＤモジュール３１のＬＥＤ３１ａの表面（発光面）との間に所定の間隔が空くように、導光体２１の入射面２１ａよりＬＥＤモジュール３１の基板３１ｂ（光源設置部の例）の表面側に突き出して、先端がＬＥＤモジュール３１の基板３１ｂの表面の各端部に接触する。
【００２６】
図６に示すように、導光体２１は、光源ユニット１３のＬＥＤモジュール３１の基板３１ｂと対向する端部に、内壁が入射面２１ａとなる切り欠き５２を有する。この端部の切り欠き５２以外の部分は、上記の１対の突起５１を形成している。突起５１は、導光体２１とＬＥＤモジュール３１の基板３１ｂとの間に位置し、導光体２１の落下を防止する。また、切り欠き５２により、導光体２１とＬＥＤモジュール３１の基板３１ｂに設置（実装）されたＬＥＤ３１ａとの間の距離を一定に保つことができる。これにより、導光体ユニット１２や光源ユニット１３の着脱を繰り返しても、毎回、照明器具１０の光の明るさを一定に保つことができるとともに、導光体２１がＬＥＤ３１ａに当たってＬＥＤ３１ａが傷つくような事態を防ぐことができる。
【００２７】
実施の形態３．
本実施の形態について、主に実施の形態１との差異を説明する。
【００２８】
図７（ａ）は、本実施の形態に係る照明器具１０の斜視図である。図７（ｂ）は、照明器具１０の分解斜視図である。
【００２９】
本実施の形態において、照明器具１０は、誘導灯である。
【００３０】
図７（ｂ）に示すように、照明器具１０は、器具本体１１内に、商用電源遮断時に点灯ユニット１５へ電力供給する蓄電池１７を備える。また、照明器具１０は、枠１４に、非常口等を示す避難誘導の図柄が印刷されたアクリル樹脂製の平板である表示パネル１８を備える。
【００３１】
実施の形態１と同様に、導光体ユニット１２のプレート２２が１対の突起５１を有するため、導光体２１とランプホルダ３２に設置されたＬＥＤモジュール３１のＬＥＤ３１ａとの間の距離を一定に保つことができる。これにより、導光体ユニット１２や光源ユニット１３の着脱を繰り返しても、毎回、表示パネル１８を同じ明るさで照らすことができる。
【００３２】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００３３】
１０  照明器具、１１  器具本体、１１ａ  電源用ノックアウト、１１ｂ  取り付け用ノックアウト、１１ｃ  引っ掛け部、１２  導光体ユニット、１２ａ  ダルマ穴、１３  光源ユニット、１４  枠、１５  点灯ユニット、１６  端子台、１７  蓄電池、１８  表示パネル、２１  導光体、２１ａ  入射面、２１ｂ  出射面、２２  プレート、２３  金具、３１  ＬＥＤモジュール、３１ａ  ＬＥＤ、３１ｂ  基板、３２  ランプホルダ、３２ａ  受け穴、５１  突起、５１ａ  係止片、５２  切り欠き。
【図１】
2014199819.tif 000003
【図２】
2014199819.tif 000004
【図３】
2014199819.tif 000005
【図４】
2014199819.tif 000006
【図５】
2014199819.tif 000007
【図６】
2014199819.tif 000008
【図７】
2014199819.tif 000009